(57)【要約】【課題】光取り出し効率を良くすること。【解決手段】実施形態に係る照明装置は、光源ユニットと、本体ユニットと、第１の反射部材と、第２の反射部材とを具備する。光源ユニットは、光源体を有する。本体ユニットは、光源ユニットが取り付けられる。第１の反射部材は、本体ユニットに設けられ、光源体に対し所定の照射方向側へ配置されて光源体からの光を上記照射方向へ向けて反射させる。第２の反射部材は、本体ユニットに設けられ、少なくとも上記照射方向とは異なる光源体の側方へ配置されて光源体からの光を照射方向へ向けて反射させる。【選択図】図７
2019061909.tif 000002
【特許請求の範囲】
【請求項１】
光源体を有する光源ユニットと；
前記光源ユニットが取り付けられる本体ユニットと；
前記本体ユニットに設けられ、前記光源体に対し所定の照射方向側へ配置されて前記光源体からの光を前記照射方向へ向けて反射させる第１の反射部材と；
前記本体ユニットに設けられ、少なくとも前記照射方向とは異なる前記光源体の側方へ配置されて前記光源体からの光を前記照射方向へ向けて反射させる第２の反射部材と；
を具備する照明装置。
【請求項２】
前記本体ユニットは、
略円筒状に形成された第１の枠体と；
一端側が前記第１の枠体に連接するとともに、他端側ほど略拡径する形状に形成された第２の枠体と；
をさらに具備し、
前記光源ユニットは、
前記第２の枠体よりも前記第１の枠体側に取り付けられ、
前記第１の反射部材は、
前記第２の枠体の内周面に沿って設けられ、
前記第２の反射部材は、
前記第１の枠体の内周面に沿って、少なくとも前記光源体の側方を取り囲むように設けられる、請求項１に記載の照明装置。
【請求項３】
前記第２の反射部材は、
該第２の反射部材によって形成される開口部の開口径が、前記第１の反射部材によって形成される開口部の開口径よりも小さい、請求項２に記載の照明装置。
【請求項４】
前記第２の反射部材は、
前記第１の反射部材に近い方の一端側によって形成される開口部の開口径よりも、前記一端側に対する他端側によって形成される開口部の開口径の方が小さい、請求項２または３に記載の照明装置。
【発明の詳細な説明】
【技術分野】
【０００１】
本発明の実施形態は、照明装置に関する。
【背景技術】
【０００２】
従来、天井等に設置された本体ユニットに対して発光モジュールを有する光源ユニットを着脱可能とするとともに、天井等や本体ユニットに配設された電源ユニットと光源ユニットとを点灯電源の給電のためのコードで接続するようにした照明装置が知られている。
【０００３】
このような照明装置は、例えばダウンライトとして用いられる場合、光源ユニットからの光を下方に向けて反射させる反射板を備えている。反射板は、例えば本体ユニットの開口部の内周面に、光源ユニットよりも下側に設けられる。
【先行技術文献】
【特許文献】
【０００４】
【特許文献１】特開２０１７−５４７４８号公報
【発明の概要】
【発明が解決しようとする課題】
【０００５】
しかしながら、光源ユニットから照射される光は、側面側や上面側から漏れてしまう場合がある。すなわち、照明装置は、光取り出し効率を良くするうえで更なる改善の余地がある。
【０００６】
本発明が解決しようとする課題は、光取り出し効率を良くすることができる照明装置を提供することである。
【課題を解決するための手段】
【０００７】
実施形態の一例に係る照明装置は、光源ユニットと、本体ユニットと、第１の反射部材と、第２の反射部材とを具備する。前記光源ユニットは、光源体を有する。前記本体ユニットは、前記光源ユニットが取り付けられる。前記第１の反射部材は、前記本体ユニットに設けられ、前記光源体に対し所定の照射方向側へ配置されて前記光源体からの光を前記照射方向へ向けて反射させる。前記第２の反射部材は、前記本体ユニットに設けられ、少なくとも前記照射方向とは異なる前記光源体の側方へ配置されて前記光源体からの光を前記照射方向へ向けて反射させる。
【発明の効果】
【０００８】
本発明によれば、光取り出し効率を良くすることが期待できる。
【図面の簡単な説明】
【０００９】
【図１】図１は、実施形態に係る照明装置の上方斜視図である。
【図２】図２は、実施形態に係る照明装置の下方斜視図である。
【図３】図３は、実施形態に係る照明装置の側面図である。
【図４】図４は、枠体、第２反射板および固定部材の分解斜視図である。
【図５】図５は、枠体に対し、第２反射板および固定部材が取り付けられた状態を示す斜視図である。
【図６】図６は、実施形態に係る照明装置をＹＺ平面で断面視した場合の略断面図である。
【図７】図７は、図６に示すＭ１部の拡大図である。
【発明を実施するための形態】
【００１０】
以下で説明する実施形態に係る照明装置１０は、光源ユニット１２と、本体ユニット１１と、第１反射板１１ｂ（「第１の反射部材」の一例に相当）と、第２反射板１１ｄ（「第２の反射部材」の一例に相当）とを具備する。光源ユニット１２は、光源体２０を有する。本体ユニット１１は、光源ユニット１２が取り付けられる。第１反射板１１ｂは、本体ユニット１１に設けられ、光源体２０に対し所定の照射方向側へ配置されて光源体２０からの光を上記照射方向へ向けて反射させる。第２反射板１１ｄは、本体ユニット１１に設けられ、少なくとも上記照射方向とは異なる光源体２０の側方へ配置されて光源体２０からの光を照射方向へ向けて反射させる。
【００１１】
以下で説明する実施形態に係る本体ユニット１１は、第１枠部１１１（「第１の枠体」の一例に相当）と、第２枠部１１２（「第２の枠体」の一例に相当）とをさらに具備する。第１枠部１１１は、略円筒状に形成される。第２枠部１１２は、一端側が第１枠部１１１に連接するとともに、他端側ほど略拡径する形状に形成される。光源ユニット１２は、第２枠部１１２よりも第１枠部１１１側に取り付けられる。第１反射板１１ｂは、第２枠部１１２の内周面に沿って設けられる。第２反射板１１ｄは、第１枠部１１１の内周面に沿って、少なくとも光源体２０の側方を取り囲むように設けられる。
【００１２】
以下で説明する実施形態に係る第２反射板１１ｄは、かかる第２反射板１１ｄによって形成される開口部の開口径が、第１反射板１１ｂによって形成される開口部の開口径よりも小さい。
【００１３】
以下で説明する実施形態に係る第２反射板１１ｄは、第１反射板１１ｂに近い方の一端側によって形成される開口部の開口径よりも、上記一端側に対する他端側によって形成される開口部の開口径の方が小さい。
【００１４】
以下、図面を参照して、実施形態に係る照明装置１０について説明する。実施形態において同一の部位には同一の符号を付し、重複する説明は省略される。
【００１５】
まず、図１〜図３を用いて、実施形態に係る照明装置１０の基本的な構成の一例について説明する。図１は、実施形態に係る照明装置１０の上方斜視図である。また、図２は、実施形態に係る照明装置１０の下方斜視図である。また、図３は、実施形態に係る照明装置１０の側面図である。
【００１６】
図１〜図３に示すように、照明装置１０は、例えば天井板等の天井部材１００（図３参照）に形成された円形の埋込孔に埋め込み設置される人感センサ１４（図２参照）付きのダウンライトである。なお、本実施形態では、図中のＺ軸の正方向側を上側、同負方向側を下側とする。
【００１７】
照明装置１０は、本体ユニット１１と、光源ユニット１２と、電源ユニット１３と、人感センサ１４とを備える。本体ユニット１１は、照明装置１０の本体部であり、前述の埋込孔に埋め込み設置される部位である。
【００１８】
本体ユニット１１は、略円筒状に形成された第１枠部１１１、および、かかる第１枠部１１１の下部側に連接しつつ下側にいくほど略拡径する形状に形成された第２枠部１１２からなる枠体１１ａを備える。
【００１９】
第２枠部１１２の内周面には、かかる内周面に沿って第１反射板１１ｂが設けられる。第１反射板１１ｂは、光源ユニット１２から照射される光を下方へ向けて反射する。
【００２０】
光源ユニット１２は、かかる本体ユニット１１に例えば着脱可能に設けられる。光源ユニット１２は、発光モジュール１２ａ（図６参照）、かかる発光モジュール１２ａを下面側に配設する放熱体１２ｂ、かかる放熱体１２ｂの下面側に配設される透過性のカバー１２ｃ、および、発光モジュール１２ａを収容しつつ放熱体１２ｂとカバー１２ｃとを連結する連結部材１２ｄ（図６参照）等を備える。なお、以下では、光源ユニット１２において、放熱体１２ｂの下面側に配設される放熱体１２ｂ以外の各部材、すなわち発光モジュール１２ａ、カバー１２ｃおよび連結部材１２ｄ等をまとめて「光源体２０」（図６参照）と言う場合がある。
【００２１】
光源ユニット１２は、光源体２０が発光する光を第２枠部１１２の開口部から下方へ向けて照射する。なお、前述の第１反射板１１ｂは、光源体２０よりも下側に設けられており、主にカバー１２ｃを介して照射される光を下方へ向けて反射する。
【００２２】
また、光源ユニット１２は、放熱体１２ｂ等を含む上部側が、第１枠部１１１の上部側から露出している。これにより、本体ユニット１１に対し、光源ユニット１２から放散される熱がこもるのを防止するとともに、冷却のために必要となる部品点数を減らすことができる。なお、光源ユニット１２は、ホルダ１１ｃによって、本体ユニット１１に対し、例えば着脱可能に保持されている。
【００２３】
電源ユニット１３は、本体ユニット１１に近接させて設けられ、光源ユニット１２へ給電する。電源ユニット１３は、例えばホルダ１１ｃに固定され、本体ユニット１１の側方に突出するように配置される。
【００２４】
電源ユニット１３は、電源部１３ａと、センサ部１３ｂと、端子台１３ｃと、これら電源部１３ａ、センサ部１３ｂおよび端子台１３ｃを取り付ける取付板としての天板１３ｄ等を備える。
【００２５】
電源部１３ａは、電源回路が搭載された図示略の電源基板を有する。電源基板の電源回路は、商用交流電源を入力し、所定の直流電源に変換して光源ユニット１２へ出力する。
【００２６】
電源部１３ａは、天板１３ｄの下面側に取り付けられており、前述の電源基板の入力側に端子台１３ｃが設けられ、電気的に接続される。また、電源部１３ａは、電源基板の出力側からは、光源ユニット１２へ給電するためのコード（図示略）が引き出され、かかるコードを介して光源ユニット１２と電気的に接続される。
【００２７】
センサ部１３ｂは、同じく天板１３ｄの下面側に取り付けられる。センサ部１３ｂは、人感センサ１４の制御部である。センサ部１３ｂは、人感センサ１４および電源部１３ａと通信可能に接続されており、人感センサ１４の検知結果に基づいて電源部１３ａに光源ユニット１２への給電を制御させる。
【００２８】
すなわち、人感センサ１４が人体を検知した場合は、センサ部１３ｂは、電源部１３ａに光源ユニット１２への給電を行わせる。また、人感センサ１４が人体を検知していない間は、センサ部１３ｂは、電源部１３ａに光源ユニット１２への給電を行わせない。
【００２９】
天板１３ｄは、例えば金属板によって断面略コ字形に形成されており、下面側に電源部１３ａ、センサ部１３ｂおよび端子台１３ｃ等が取り付けられる。
【００３０】
ところで、既に述べたように、前述の第１反射板１１ｂは、光源体２０よりも下側に設けられており、主にカバー１２ｃを介して照射される光を下方へ向けて反射する。しかしながら、発光モジュール１２ａから発光される光は、例えば光源体２０の側方や上方へ透過したり、光源体２０を構成する部材の公差等によって生じる隙間等によって、光源体２０の側方や上方へ漏れ出したりしてしまう場合がある。
【００３１】
そこで、本実施形態に係る照明装置１０では、第１反射板１１ｂに加えて、第１反射板１１ｂよりも上側でさらに光源体２０の周囲を覆うように配設される第２反射板１１ｄを設けることとした。
【００３２】
かかる第２反射板１１ｄを加えた本実施形態に係る照明装置１０の構成について、具体的に図４〜図７を用いて説明する。図４は、枠体１１ａ、第２反射板１１ｄおよび固定部材１１ｅの分解斜視図である。また、図５は、枠体１１ａに対し、第２反射板１１ｄおよび固定部材１１ｅが取り付けられた状態の斜視図である。また、図６は、実施形態に係る照明装置１０をＹＺ平面で断面視した場合の略断面図である。なお、図６では、電源ユニット１３の図示を略している。また、図７は、図６に示すＭ１部の拡大図である。
【００３３】
実施形態に係る照明装置１０は、図４に示すように、第２反射板１１ｄをさらに備える。第２反射板１１ｄは、天板部１１３と、周壁部１１４とを有する略環状の部材として設けられる。したがって、図６に示すように、第２反射板１１ｄは、天板部１１３により形成される開口部の開口径Ｄ１と、周壁部１１４により形成される開口部の開口径Ｄ２とでは、開口径Ｄ１の方が小さくなる。
【００３４】
図４の説明に戻る。また、第２反射板１１ｄは、周壁部１１４の下端部の外周に沿って、所々が切り欠かれたフランジ部１１５を有する。枠体１１ａの第１枠部１１１の内周面には、部材の固定等のためのボス部１１６等が形成されており、フランジ部１１５は、かかるボス部１１６等が存在する第１枠部１１１の内周面の形状に応じて切り欠かれているる。
【００３５】
また、第１枠部１１１の内周面の下端部には、内周に沿って底板部１１７が形成されている。第２反射板１１ｄは、このような構成の枠体１１ａに対して上方から挿入され、フランジ部１１５が底板部１１７と当接した状態において保持される。
【００３６】
そのうえで、第２反射板１１ｄは、さらに枠体１１ａに対して上方から挿入される、略環状の固定部材１１ｅによって固定される。固定部材１１ｅは、複数の押さえ具１１８がボス部１１６に対し、締結部材等によって固定されることによって、第２反射板１１ｄを固定する。
【００３７】
なお、図５に示すように、枠体１１ａに対し、第２反射板１１ｄおよび固定部材１１ｅが取り付けられた状態においては、押さえ具１１８によりボス部１１６を例えば上下方向からは見えないようにすることができる。これにより、例えば照明装置１０が天井部材１００へ取り付けられた状態で人が下方から照明装置１０を見た場合に、ボス部１１６が見えてしまって美観を損ねるのを防ぐことができる。
【００３８】
このような構成により、図６に示すように、実施形態に係る照明装置１０は、光源体２０より下側の第２枠部１１２の内周面に沿って設けられる第１反射板１１ｂだけでなく、少なくとも光源体２０の側方を取り囲むように第１枠部１１１の内周面に沿って設けられる第２反射板１１ｄを有することになる。
【００３９】
第２反射板１１ｄは、図７に示すように、光源体２０から上方へ向かう光を天板部１１３によって下方へ向けて反射することができる（図中の矢印７０１参照）。また、第２反射板１１ｄは、光源体２０から側方へ向かう光を周壁部１１４によって下方へ向けて反射することができる（図中の矢印７０２参照）。これにより、所望する光の照射方向（ここでは下方）に向けての光取り出し効率を良くすることができる（図中の矢印７０３参照）。
【００４０】
また、図７に示すように、第２反射板１１ｄは、天板部１１３を有するので、かかる天板部１１３の上面側を固定部材１１ｅおよび押さえ具１１８によって押さえつけ、固定することによって容易に第２反射板１１ｄを配設することができる。また、かかる天板部１１３によって、第１枠部１１１の内周面に形成されたボス部１１６および押さえ具１１８が下方から見えてしまって美観を損ねるのを防ぐことができる。
【００４１】
また、図６に示すように、第２反射板１１ｄの上端側の開口径Ｄ１は、第２反射板１１ｄの下端側の開口径Ｄ２よりも小さい。また、第２反射板１１ｄの下端側の開口径Ｄ２は、第１反射板１１ｂの上端側の開口径Ｄ３よりも小さい。また、第１反射板１１ｂの上端側の開口径Ｄ３は、第１反射板１１ｂの下端側の開口径Ｄ４よりも小さい。
【００４２】
かかる開口径Ｄ１〜Ｄ４の関係性を有しつつ、第２反射板１１ｄの下端部と、第１反射板１１ｂの上端部とは、第２反射板１１ｄのフランジ部１１５によって隙間なく当接することができる。これにより、光源体２０が発する光を下方へ向ける場合の光取り出し効率を良くすることができるとともに、やはり下方から人が照明装置１０を見た場合に、少なくとも第１反射板１１ｂの下端部から第２反射板１１ｄの上端部（天板部１１３の下面）にかけては、内部構造が見えてしまうのを防ぐことができる。
【００４３】
上述してきたように、実施形態に係る照明装置１０は、光源ユニット１２と、本体ユニット１１と、第１反射板１１ｂ（「第１の反射部材」の一例に相当）と、第２反射板１１ｄ（「第２の反射部材」の一例に相当）とを具備する。光源ユニット１２は、光源体２０を有する。本体ユニット１１は、光源ユニット１２が取り付けられる。第１反射板１１ｂは、本体ユニット１１に設けられ、光源体２０に対し所定の照射方向側へ配置されて光源体２０からの光を上記照射方向へ向けて反射させる。第２反射板１１ｄは、本体ユニット１１に設けられ、少なくとも上記照射方向とは異なる光源体２０の側方へ配置されて光源体２０からの光を照射方向へ向けて反射させる。
【００４４】
これにより、光取り出し効率を良くすることが期待できる。
【００４５】
なお、上述した実施形態では、照明装置１０が人感センサ１４付きである場合を例に挙げたが、人感センサ１４付きでない場合であってもよい。
【００４６】
また、上述した実施形態では、照明装置１０がダウンライトである場合を例に挙げたが、主たる第１反射板１１ｂに加えて、少なくとも光源体２０の側方を取り囲むように設けられる第２反射板１１ｄを追加可能な形態であれば、ダウンライトに限られるものではない。
【００４７】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４８】
１０    照明装置
１１    本体ユニット
１１ａ  枠体
１１ｂ  第１反射板
１１ｃ  ホルダ
１１ｄ  第２反射板
１１ｅ  固定部材
１２    光源ユニット
１２ａ  発光モジュール
１２ｂ  放熱体
１２ｃ  カバー
１２ｄ  連結部材
１３    電源ユニット
１３ａ  電源部
１３ｂ  センサ部
１３ｃ  端子台
１３ｄ  天板
１４    人感センサ
２０    光源体
１００    天井部材
１１１    第１枠部
１１２    第２枠部
１１３    天板部
１１４    周壁部
１１５    フランジ部
１１６    ボス部
１１７    底板部
１１８    押さえ具
【図１】
2019061909.tif 000003
【図２】
2019061909.tif 000004
【図３】
2019061909.tif 000005
【図４】
2019061909.tif 000006
【図５】
2019061909.tif 000007
【図６】
2019061909.tif 000008
【図７】
2019061909.tif 000009